(57)【要約】  シリンジキャップは、キャップ本体の周方向に延びる凸部を含み、前記凸部は、前記キャップ本体の外周面よりも該キャップ本体の径方向外方に位置する頂部と、前記頂部に始端を有するとともに、始端よりも前記キャップ本体の基端側にある前記キャップ本体の外周面上に終端を有する第一傾斜面と、前記頂部に始端を有するとともに、始端よりも前記キャップ本体の先端側にある前記キャップ本体の外周面上に終端を有する第二傾斜面と、を含み、前記第一傾斜面の前記始端から前記終端までの最短距離は、前記第二傾斜面の前記始端から前記終端までの最短距離よりも短い。
2015186792.tif 000002
【特許請求の範囲】
【請求項１】
基端から先端に向けて注射針が挿入される筒状のキャップ本体であって、前記注射針の取り付けられた注射器本体に着脱可能なキャップ本体と、
前記キャップ本体の外周面から突出した少なくとも一つの凸部であって、前記キャップ本体の周方向に延びる凸部と、を含み、
前記凸部は、
前記キャップ本体の外周面よりも該キャップ本体の径方向外方に位置する頂部と、
前記頂部に始端を有するとともに、始端よりも前記キャップ本体の基端側にある前記キャップ本体の外周面上に終端を有する第一傾斜面と、
前記頂部に始端を有するとともに、始端よりも前記キャップ本体の先端側にある前記キャップ本体の外周面上に終端を有する第二傾斜面と、を含み、
前記第一傾斜面の前記始端から前記終端までの最短距離は、前記第二傾斜面の前記始端から前記終端までの最短距離よりも短い、ことを特徴とするシリンジキャップ。
【請求項２】
前記キャップ本体は、外径が基端側から先端側に向かって連続的に小さくなるテーパ部を含み、前記凸部が前記テーパ部に配置されている、請求項１に記載のシリンジキャップ。
【請求項３】
前記キャップ本体の軸芯に対する前記第一傾斜面の傾斜角度は、前記キャップ本体の軸芯に対する前記第二傾斜面の傾斜角度と同じである、請求項２に記載のシリンジキャップ。
【請求項４】
前記凸部は、前記キャップ本体の全周に亘って設けられている、請求項１から３のいずれか１項に記載のシリンジキャップ。
【請求項５】
前記凸部を複数含む、請求項１から４のいずれか１項に記載のシリンジキャップ。
【請求項６】
前記複数の凸部は、前記キャップ本体の外周面のうち、該キャップ本体の軸芯の延びる方向の少なくとも中央領域に配置されている、請求項５に記載のシリンジキャップ。
【請求項７】
前記複数の凸部のうち、少なくとも一つの凸部の高さは、他の凸部の高さより高い、請求項５又は６に記載のシリンジキャップ。
【請求項８】
前記中央領域に配置された複数の凸部の高さは、全て同じである、請求項６又は７に記載のシリンジキャップ。
【請求項９】
前記複数の凸部は、前記キャップ本体の外周面のうち、前記中央領域よりも先端側の領域及び前記中央領域よりも基端側の領域の少なくともいずれか一方の領域に配置された凸部であって、前記中央領域に配置された前記凸部よりも高さの高い凸部を含む、請求項６から８のいずれか１項に記載のシリンジキャップ。
【請求項１０】
内部に薬剤が充填可能な注射器本体と、
前記注射器本体に取り付けられた注射針と、
前記注射器本体に着脱可能に取り付けられたシリンジキャップであって、前記注射針を覆うシリンジキャップと、を含み、
前記シリンジキャップは、請求項１から９のいずれか１項に記載のシリンジキャップである、ことを特徴とする針付シリンジ。
【請求項１１】
内部に薬剤が充填された注射器本体と、
前記注射器本体に取り付けられた注射針と、
前記注射器本体に着脱可能に取り付けられたシリンジキャップであって、前記注射針を覆うシリンジキャップと、を含み、
前記シリンジキャップは、請求項１から９のいずれか１項に記載のシリンジキャップである、ことを特徴とするプレフィルドシリンジ製剤。
【請求項１２】
自己注射用製剤である、請求項１１に記載のプレフィルドシリンジ製剤。
【発明の詳細な説明】
【関連出願の相互参照】
【０００１】
本願は、日本国特願２０１４−１１５９３６号の優先権を主張し、引用によって本願明細書の記載に組み込まれる。
【技術分野】
【０００２】
本発明は、注射針を保護するシリンジキャップ、針付シリンジ、及びプレフィルドシリンジ製剤に関する。
【背景技術】
【０００３】
従来から、内部に薬剤が充填された筒状の注射器本体と、前記注射器本体の先端に取り付けられた注射針と、前記注射器本体内に挿入され、該注射器本体の軸芯方向にスライド移動可能なプランジャとを備えたプレフィルドシリンジが知られている。【０００４】
通常、この種のプレフィルドシリンジは、前記注射器本体に着脱可能に取り付けられたシリンジキャップであって、前記注射針を覆うシリンジキャップをさらに備えることにより、使用前に注射針が使用者の手や指等に誤って刺さることが防止されている。【０００５】
かかるシリンジキャップは、一般的に、基端から先端に向けて注射針が挿入される筒状のキャップ本体であって、前記注射針の取り付けられた注射器本体に着脱可能なキャップ本体を有する（例えば、特許文献１参照）。【０００６】
このようなシリンジキャップでは、該シリンジキャップ全体におけるキャップ本体の占有領域は大きいため、プレフィルドシリンジの使用の際には、一般的に、シリンジキャップのキャップ本体が摘まれ、キャップ本体が注射器本体から離れる方向に引っ張られて取り外される。
【先行技術文献】
【特許文献】
【０００７】
【特許文献１】日本国特開２０００−０７９１６３号公報
【発明の概要】
【発明が解決しようとする課題】
【０００８】
ところで、シリンジキャップは、一般的に、樹脂成形品であるため、キャップ本体の外周面は滑らかで、滑りやすい。そのため、シリンジキャップが注射器本体から取り外されるとき、キャップ本体に対する引っ張り力が、シリンジキャップ全体に伝わらず、シリンジキャップが取り外されにくいことがある。【０００９】
そこで、本発明は、注射器本体から取り外すときの滑りが抑制されたシリンジキャップ、このシリンジキャップを備えた針付シリンジ及びプレフィルドシリンジ製剤を提供する。
【課題を解決するための手段】
【００１０】
本発明に係るシリンジキャップは、基端から先端に向けて注射針が挿入される筒状のキャップ本体であって、前記注射針の取り付けられた注射器本体に着脱可能なキャップ本体と、前記キャップ本体の外周面から突出した少なくとも一つの凸部であって、前記キャップ本体の周方向に延びる凸部と、を含み、前記凸部は、前記キャップ本体の外周面よりも該キャップ本体の径方向外方に位置する頂部と、前記頂部に始端を有するとともに、始端よりも前記キャップ本体の基端側にある前記キャップ本体の外周面上に終端を有する第一傾斜面と、前記頂部に始端を有するとともに、始端よりも前記キャップ本体の先端側にある前記キャップ本体の外周面上に終端を有する第二傾斜面と、を含み、前記第一傾斜面の前記始端から前記終端までの最短距離は、前記第二傾斜面の前記始端から前記終端までの最短距離よりも短いことを特徴とする。【００１１】
本発明の一態様として、前記キャップ本体は、外径が基端側から先端側に向かって連続的に小さくなるテーパ部を含み、前記凸部が前記テーパ部に配置されている、ようにし得る。【００１２】
この場合、前記キャップ本体の軸芯に対する前記第一傾斜面の傾斜角度は、前記キャップ本体の軸芯に対する前記第二傾斜面の傾斜角度と同じである、ようにし得る。【００１３】
本発明の他態様として、前記凸部は、前記キャップ本体の全周に亘って設けられている、ことが好ましい。【００１４】
本発明の別の態様として、前記凸部を複数含む、ことが好ましい。前記凸部の数は、４個以上であることが好ましい。前記凸部の数の上限はキャップの大きさにより異なり特に限定されないが、例えば２０個以下、好ましくは１５個以下である。特に、容量が１ｍＬのシリンジ用のキャップの場合、凸部の数は３〜１５個が好ましく、さらに３〜１２個が好ましい。【００１５】
この場合、前記複数の凸部は、前記キャップ本体の外周面のうち、該キャップ本体の軸芯の延びる方向の少なくとも中央領域に配置されている、ことが好ましい。【００１６】
この場合、前記複数の凸部のうち、少なくとも１つの凸部の高さは、他の凸部の高さより高い、ことが好ましい。【００１７】
この場合、前記中央領域に配置された複数の凸部の高さは、全て同じである、ようにし得る。【００１８】
この場合、前記複数の凸部は、前記キャップ本体の外周面のうち、前記中央領域よりも先端側の領域及び前記中央領域よりも基端側の領域の少なくともいずれか一方の領域に配置された凸部であって、前記中央領域に配置された前記凸部よりも高さの高い凸部を含む、ようにし得る。【００１９】
この場合、前記複数の凸部は、前記先端側の領域及び前記基端側の領域のそれぞれに配置された凸部であって、前記中央領域に配置された前記複数の凸部よりも高さの高い凸部を含む、ことが好ましい。【００２０】
この場合、前記先端側の領域に配置された前記凸部の高さは、前記基端側の領域に配置された前記凸部の高さより高い、ことが好ましい。【００２１】
この場合、前記複数の凸部のうち、前記先端側の領域に配置された凸部の高さが最も高い、ことが好ましい。【００２２】
本発明に係る針付シリンジは、内部に薬剤が充填可能な注射器本体と、前記注射器本体の先端に取り付けられた注射針と、前記注射器本体に着脱可能に取り付けられたシリンジキャップであって、前記注射針を覆うシリンジキャップと、を含み、前記シリンジキャップは、上記何れかのシリンジキャップである、ことを特徴とする。【００２３】
本発明のプレフィルドシリンジ製剤は、内部に薬剤が充填された注射器本体と、前記注射器本体の先端に取り付けられた注射針と、前記注射器本体に着脱可能に取り付けられたシリンジキャップであって、前記注射針を覆うシリンジキャップと、を含み、前記シリンジキャップは、上記何れかのシリンジキャップである、ことを特徴とする。【００２４】
この場合、上記プレフィルドシリンジ製剤は、自己注射用製剤であることが好ましい。
【図面の簡単な説明】
【００２５】
【図１】図１は、本発明の一実施形態に係るシリンジキャップが注射器本体に取り付けられた状態を示す断面図である。
【図２】図２は、同実施形態に係るシリンジキャップの概観図である。
【図３】図３は、図２中のＡ部の拡大図である。
【図４】図４は、図２中のＢ部の拡大図である。
【図５】図５は、図２中のＣ部の拡大図である。
【図６】図６は、図２中のＤ部の拡大図である。
【図７】図７は、本発明の他の実施形態に係るシリンジキャップの概観図である。
【図８】図８は、本発明の他の実施形態に係るシリンジキャップの概観図である。
【図９】図９は、本発明の他の実施形態に係るシリンジキャップの概観図である。
【図１０】図１０は、本発明の他の実施形態に係るシリンジキャップの概観図である。
【図１１】図１１は、本発明の他の実施形態に係るシリンジキャップの概観図である。
【図１２】図１２は、本発明の他の実施形態に係るシリンジキャップの概観図である。
【図１３】図１３は、本発明の他の実施形態に係るシリンジキャップの概観図である。
【図１４】図１４は、本発明の他の実施形態に係るシリンジキャップの概観図である。
【図１５】図１５は、本発明の他の実施形態に係るシリンジキャップの概観図である。
【図１６】図１６は、本発明の他の実施形態に係るシリンジキャップの概観図である。
【図１７】図１７は、本発明の他の実施形態に係るシリンジキャップの概観図である。
【図１８】図１８は、本発明の他の実施形態に係るシリンジキャップの概観図である。
【図１９】図１９は、本発明の他の実施形態に係るシリンジキャップの概観図である。
【発明を実施するための形態】
【００２６】
本発明に係るシリンジキャップは、基端から先端に向けて注射針が挿入される筒状のキャップ本体であって、前記注射針の取り付けられた注射器本体に着脱可能なキャップ本体と、前記キャップ本体の外周面から突出した少なくとも一つの凸部であって、前記キャップ本体の周方向に延びる凸部と、を含み、前記凸部は、前記キャップ本体の外周面よりも該キャップ本体の径方向外方に位置する頂部と、前記頂部に始端を有するとともに、始端よりも前記キャップ本体の基端側にある前記キャップ本体の外周面上に終端を有する第一傾斜面と、前記頂部に始端を有するとともに、始端よりも前記キャップ本体の先端側にある前記キャップ本体の外周面上に終端を有する第二傾斜面と、を含み、前記第一傾斜面の前記始端から前記終端までの最短距離は、前記第二傾斜面の前記始端から前記終端までの最短距離よりも短いことを特徴とする。
【００２７】
上記構成のシリンジキャップによれば、凸部の第一傾斜面は、キャップ本体の外周面に対して起立している。そのため、キャップ本体が注射器本体から離れる方向に引っ張られると、使用者の手が凸部の第一傾斜面に当接し引っ掛かる。これにより、注射器本体から取り外すときの滑りが抑制される。その結果、キャップ本体に対する引っ張り力がシリンジキャップ全体に伝わるため、シリンジキャップは取り外されやすくなる。特に、容量が０．５ｍＬ〜５．０ｍＬ、好ましくは１ｍＬの小さいシリンジの場合、この効果が顕著となる。
【００２８】
本発明の一態様として、前記キャップ本体は、外径が基端側から先端側に向かって連続的に小さくなるテーパ部を含み、前記凸部が前記テーパ部に配置されている、ようにし得る。かかる構成によれば、キャップ本体の先端側の方が細くなっているため、使用者の手にアプローチしやすくなる。
【００２９】
この場合、前記キャップ本体の軸芯に対する前記第一傾斜面の傾斜角度は、前記キャップ本体の軸芯に対する前記第二傾斜面の傾斜角度と同じである、ようにし得る。かかる構成によれば、凸部の第一傾斜面と第二傾斜面とが使用者の手に均等に当たりやすくなるため、使用者の手に与える違和感が抑制される。前記キャップ本体の軸芯に対する前記第一傾斜面の傾斜角度は、３５度以上９０度未満であることが好ましい。
【００３０】
本発明の他態様として、前記凸部は、前記キャップ本体の全周に亘って設けられている、ことが好ましい。かかる構成によれば、キャップ本体の周方向における何れの箇所が摘まれても、使用者の手が凸部に確実に引っ掛かり、注射器本体から取り外すときの滑りが抑制される。
【００３１】
本発明の別の態様として、前記凸部を複数含む、ことが好ましい。前記凸部の数は、４個以上であることが好ましい。前記凸部の数の上限はキャップの大きさにより異なり特に限定されないが、例えば２０個以下、好ましくは１５個以下である。特に、容量が１ｍＬのシリンジ用のキャップの場合、凸部の数は３〜１５個が好ましく、さらに３〜１２個が好ましい。かかる構成によれば、使用者の手が引っ掛かる部分が増え、注射器本体から取り外すときの滑りがより抑制される。
【００３２】
この場合、前記複数の凸部は、前記キャップ本体の外周面のうち、該キャップ本体の軸芯の延びる方向の少なくとも中央領域に配置されている、ことが好ましい。かかる構成によれば、一般的に使用者が摘む可能性の高いキャップ本体の中央領域において注射器本体から取り外すときの滑りが抑制される。
【００３３】
この場合、前記複数の凸部のうち、少なくとも１つの凸部の高さは、他の凸部の高さより高い、ことが好ましい。かかる構成によれば、高さの高い凸部に使用者の手が引っ掛かりやすいので、他の凸部で使用者の手が引っ掛からなかったとしても、高さの高い凸部で使用者の手が引っ掛かり、シリンジキャップが取り外されやすくなる。
【００３４】
この場合、前記中央領域に配置された複数の凸部の高さは、全て同じである、ようにし得る。かかる構成によれば、使用者の手が複数の凸部のそれぞれに均一に当接するため、使用者の手に与える違和感が抑制される。
【００３５】
この場合、前記複数の凸部は、前記キャップ本体の外周面のうち、前記中央領域よりも先端側の領域及び前記中央領域よりも基端側の領域の少なくともいずれか一方の領域に配置された凸部であって、前記中央領域に配置された前記凸部よりも高さの高い凸部を含む、ようにし得る。かかる構成によれば、高さの高い凸部に使用者の手が引っ掛かりやすいので、先端側の領域及び基端側の領域の少なくとも一方の領域において、中央領域よりも滑りが抑制される。
【００３６】
この場合、前記複数の凸部は、前記先端側の領域及び前記基端側の領域のそれぞれに配置された凸部であって、前記中央領域に配置された前記複数の凸部よりも高さの高い凸部を含む、ことが好ましい。かかる構成によれば、高さの高い凸部に使用者の手が引っ掛かりやすいので、先端側の領域及び基端側の領域において中央領域よりも滑りが抑制される。
【００３７】
この場合、前記先端側の領域に配置された前記凸部の高さは、前記基端側の領域に配置された前記凸部の高さより高い、ことが好ましい。かかる構成によれば、高さの高い凸部に使用者の手が引っ掛かりやすいので、基端側の領域の凸部に使用者の手が引っ掛からなかったとしても、先端側の領域に配置された高さの高い凸部に使用者の手が引っ掛かり、シリンジキャップが取り外されやすくなる。また、高さの高い凸部が配置された先端側の領域で使用者の手が引っ掛かった場合、使用者の手と注射器本体との距離が、使用者の手がキャップ本体の中央領域や基端側の領域で引っ掛かった場合よりも長くなるため、シリンジキャップが取り外されたときに、注射針が使用者の手に触れたり刺さったりする可能性が減る。
【００３８】
この場合、前記複数の凸部のうち、前記先端側の領域に配置された凸部の高さが最も高い、ことが好ましい。かかる構成によれば、高さが最も高い凸部に使用者の手が最も引っ掛かりやすいので、他の凸部で使用者の手が引っ掛からなかったとしても、高さが最も高い凸部で使用者の手が引っ掛かり、シリンジキャップが取り外されやすくなる。また、高さが最も高い凸部が配置された先端側の領域で使用者の手が引っ掛かった場合、使用者の手と注射器本体との距離が、使用者の手がキャップ本体の中央領域や基端側の領域で引っ掛かった場合よりも長くなるため、シリンジキャップが取り外されたときに、注射針が使用者の手に触れたり刺さったりする可能性が減る。
【００３９】
本発明に係る針付シリンジは、内部に薬剤が充填可能な注射器本体と、前記注射器本体の先端に取り付けられた注射針と、前記注射器本体に着脱可能に取り付けられたシリンジキャップであって、前記注射針を覆うシリンジキャップと、を含み、前記シリンジキャップは、上記何れかのシリンジキャップである、ことを特徴とする。かかる構成によれば、上記何れかのシリンジキャップを備えているため、上記シリンジキャップと同様の作用及び効果を奏することができる。
【００４０】
本発明のプレフィルドシリンジ製剤は、内部に薬剤が充填された注射器本体と、前記注射器本体の先端に取り付けられた注射針と、前記注射器本体に着脱可能に取り付けられたシリンジキャップであって、前記注射針を覆うシリンジキャップと、を含み、前記シリンジキャップは、上記何れかのシリンジキャップである、ことを特徴とする。かかる構成によれば、上記何れかのシリンジキャップを備えているため、上記シリンジキャップと同様の作用及び効果を奏することができる。
【００４１】
この場合、上記プレフィルドシリンジ製剤は、自己注射用製剤であることが好ましい。かかる構成によれば、プレフィルドシリンジ製剤の使用者が、患者自身であっても、特にリウマチ患者等のように手が不自由な者であっても、シリンジキャップが注射器本体から取り外されやすい。
【００４２】
以上のように、本発明のシリンジキャップによれば、注射器本体から取り外すときの滑りが抑制されたという優れた効果を奏し得る。
【００４３】
本発明の針付シリンジによれば、上記シリンジキャップを備えているため、注射器本体からシリンジキャップが取り外されやすいという優れた効果を奏し得る。
【００４４】
本発明のプレフィルドシリンジ製剤によれば、上記シリンジキャップを備えているため、注射器本体からシリンジキャップが取り外されやすいという優れた効果を奏し得る。
【００４５】
以下、本発明の一実施形態に係るシリンジキャップについて、図１〜図６を参照して説明する。
【００４６】
プレフィルドシリンジは、図１に示すように、内部に薬剤が充填された筒状の注射器本体２２と、注射器本体２２の先端に取り付けられた注射針２１と、注射器本体２２内に挿入され、注射器本体２２の軸芯方向にスライド移動可能なプランジャ（図示せず）とを有する。このプレフィルドシリンジ２は、プランジャが押されると、注射器本体２２内で該注射器本体２２の先端に向けてプランジャがスライド移動し、注射器本体２２内に充填された薬剤が注射針２１の先端から押し出されるように構成されている。
【００４７】
このプレフィルドシリンジ２は、注射器本体２２に着脱可能に取り付けられたシリンジキャップ１であって、注射針２１を覆うシリンジキャップ１をさらに備える。
【００４８】
本実施形態に係るシリンジキャップ１は、図１及び図２に示すように、キャップ本体１０と、シール部材１１とを有する。
【００４９】
キャップ本体１０は、基端から先端に向けて注射針２１が挿入可能に筒状に形成される。
【００５０】
ここで、キャップ本体１０について具体的に説明する。キャップ本体１０は、両端が開口した円筒状である。このキャップ本体１０の一端（基端）側の開口は、注射針２１の挿入口となる。本実施形態において、注射針２１はキャップ本体１０の基端側の開口から他端（先端）側の開口に向けて挿入される。
【００５１】
本実施形態のシリンジキャップ１は、キャップ本体１０の外周面から突出した少なくとも一つの凸部１０Ａ，１０Ｂ，１０Ｃであって、キャップ本体１０の周方向に延びる凸部１０Ａ，１０Ｂ，１０Ｃを有する。本実施形態の凸部１０Ａ，１０Ｂ，１０Ｃは、キャップ本体１０の全周に亘って設けられている。
【００５２】
本実施形態において、キャップ本体１０は、外径が基端側から先端側に向かって連続的に小さくなるテーパ部を有し、凸部１０Ａがテーパ部に配置されている。
【００５３】
本実施形態のシリンジキャップ１は、凸部１０Ａ，１０Ｂ，１０Ｃを複数含む。複数の凸部１０Ａ，１０Ｂ，１０Ｃは、キャップ本体１０の外周面のうち、該キャップ本体１０の軸芯の延びる方向の少なくとも中央領域に配置されている。本実施形態において、中央領域に複数（ここでは７個）の凸部（以下、第一凸部という。）１０Ａが配置され、中央領域よりも先端側の領域に一つの凸部（以下、第二凸部という。）１０Ｂが配置され、中央領域よりも基端側の領域に一つの凸部（以下、第三凸部という）１０Ｃが配置されている。なお、以下の説明では、第一凸部１０Ａ、第二凸部１０Ｂ、第三凸部１０Ｃを総称して単なる凸部ともいう。凸部の数は、４個以上であることが好ましい。凸部の数の上限はキャップの大きさにより異なり特に限定されないが、例えば２０個以下、好ましくは１５個以下である。特に、容量が１ｍＬのシリンジ用のキャップの場合、凸部の数は３〜１５個が好ましく、さらに３〜１２個が好ましい。
【００５４】
第一凸部１０Ａは、図３に示すように、頂部１００Ａと、第一傾斜面１０１Ａと、第二傾斜面１０２Ａとを有する。頂部１００Ａは、キャップ本体１０の外周面よりも該キャップ本体１０の径方向外方に位置する。第一傾斜面１０１Ａは、頂部１００Ａに始端を有するとともに、始端よりもキャップ本体１０の基端側にあるキャップ本体１０の外周面上に終端を有する。第二傾斜面１０２Ａは、頂部１００Ａに始端を有するとともに、始端よりもキャップ本体１０の先端側にあるキャップ本体１０の外周面上に終端を有する。第一傾斜面１０１Ａの始端から終端までの最短距離は、第二傾斜面１０２Ａの始端から終端までの最短距離よりも短い。
【００５５】
本実施形態において、第一凸部１０Ａのキャップ本体１０の軸芯に対する第一傾斜面１０１Ａの傾斜角度は、第一凸部１０Ａのキャップ本体１０の軸芯に対する第二傾斜面１０２Ａの傾斜角度と同じである。また、中央領域に配置された複数の第一凸部１０Ａの高さｈ１は、全て同じである。また、複数の第一凸部１０Ａは等間隔に配置されている。
【００５６】
第二凸部１０Ｂは、図４に示すように、頂部１００Ｂと、第一傾斜面１０１Ｂと、第二傾斜面１０２Ｂとを有する。頂部１００Ｂは、キャップ本体１０の外周面よりも該キャップ本体１０の径方向外方に位置する。第一傾斜面１０１Ｂは、頂部１００Ｂに始端を有するとともに、始端よりもキャップ本体１０の基端側にあるキャップ本体１０の外周面上に終端を有する。第二傾斜面１０２Ｂは、頂部１００Ｂに始端を有するとともに、始端よりもキャップ本体１０の先端側にあるキャップ本体１０の外周面上に終端を有する。第一傾斜面１０１Ｂの始端から終端までの最短距離は、第二傾斜面１０２Ｂの始端から終端までの最短距離よりも短い。
【００５７】
第三凸部１０Ｃは、図５に示すように、頂部１００Ｃと、第一傾斜面１０１Ｃと、第二傾斜面１０２Ｃとを有する。頂部１００Ｃは、キャップ本体１０の外周面よりも該キャップ本体１０の径方向外方に位置する。第一傾斜面１０１Ｃは、頂部１００Ｃに始端を有するとともに、始端よりもキャップ本体１０の基端側にあるキャップ本体１０の外周面上に終端を有する。第二傾斜面１０２Ｃは、頂部１００Ｃに始端を有するとともに、始端よりもキャップ本体１０の先端側にあるキャップ本体１０の外周面上に終端を有する。第一傾斜面１０１Ｃの始端から終端までの最短距離は、第二傾斜面１０２Ｃの始端から終端までの最短距離よりも短い。本実施形態において、第三凸部１０Ｃの先端側にあるキャップ本体１０の外周面の該キャップ本体１０の軸芯方向に対する傾斜は、第三凸部１０Ｃの基端側にあるキャップ本体１０の外周面の該キャップ本体１０の軸芯方向に対する傾斜よりも緩やかである。
【００５８】
凸部１０Ａ，１０Ｂ，１０Ｃのキャップ本体１０の軸芯に対する第一傾斜面１０１Ａ，１０１Ｂ，１０１Ｃの傾斜角度は、３５度以上９０度未満であることが好ましい。
【００５９】
複数の凸部１０Ａ，１０Ｂ，１０Ｃのうち、少なくとも一つの第二凸部１０Ｂ，第三凸部１０Ｃの高さｈ２，ｈ３は、他の第一凸部１０Ａの高さｈ１より高い。本実施形態では、二つの第二凸部１０Ｂ及び第三凸部１０Ｃの高さｈ２，ｈ３が、第一凸部１０Ａの高さｈ１よりも高い。なお、本明細書において、高さｈ１は、第一凸部１０Ａの頂部１００Ａを通ってキャップ本体１０の軸芯に対して垂直に延びる中心線において、第一傾斜面１０１Ａの終端に対応する位置から頂部１００Ａまでの距離をいう。高さｈ２は、第二部凸１０Ｂの頂部１００Ｂを通ってキャップ本体１０の軸芯に対して垂直に延びる中心線において、第一傾斜面１０１Ｂの終端に対応する位置から頂部１００Ｂまでの距離をいう。高さｈ３は、第三凸部１０Ｃの頂部１００Ｃを通ってキャップ本体１０の軸芯に対して垂直に延びる中心線において、第一傾斜面１０１Ｃの終端に対応する位置から頂部１００Ｃまでの距離をいう。
【００６０】
複数の凸部１０Ａ，１０Ｂ，１０Ｃは、キャップ本体１０の外周面のうち、中央領域よりも先端側の領域及び中央領域よりも基端側の領域の少なくともいずれか一方の領域に配置された第二凸部１０Ｂ，第三凸部１０Ｃであって、中央領域に配置された第一凸部１０Ａよりも高さの高い第二凸部１０Ｂ，第三凸部１０Ｃを含む。本実施形態では、上述したように、先端側の領域及び基端側の領域のそれぞれに配置された第二凸部１０Ｂ，第三凸部１０Ｃの高さｈ２，ｈ３が、中央領域に配置された第一凸部１０Ａの高さｈ１よりも高い。つまり、本実施形態において、複数の凸部１０Ａ，１０Ｂ，１０Ｃは、先端側の領域及び基端側の領域のそれぞれに配置された第二凸部１０Ｂ，第三凸部１０Ｃであって、中央領域に配置された複数の第一凸部１０Ａよりも高さの高い第二凸部１０Ｂ，第三凸部１０Ｃを含む。
【００６１】
本実施形態において、先端側の領域に配置された第二凸部１０Ｂの高さｈ２は、基端側の領域に配置された第三凸部１０Ｃの高さｈ３より高い。すなわち、本実施形態において、複数の凸部１０Ａ，１０Ｂ，１０Ｃのうち、先端側の領域に配置された第二凸部１０Ｂの高さｈ２が最も高い。
【００６２】
本実施形態のシリンジキャップ１は、キャップ本体１０の外周面から内側に陥没する凹部１０ａであって、キャップ本体１０の周方向に延びる凹部１０ａをさらに有する。本実施形態において、凹部１０ａは、キャップ本体１０の外周面のうち、該キャップ本体１０の軸芯の延びる方向の基端側の領域に設けられている。また、本実施形態の凹部１０ａは、キャップ本体１０の全周に亘って設けられている。
【００６３】
凹部１０ａは、図６に示すように、底部１００ａと、第一傾斜面１０１ａと、第二傾斜面１０２ａとを有する。底部１００ａは、キャップ本体１０の外周面よりも該キャップ本体１０の径方向内方に位置する。第一傾斜面１０１ａは、底部１００ａに始端を有するとともに、該始端よりもキャップ本体１０の基端側にあるキャップ本体１０の外周面上に終端を有する。第二傾斜面１０２ａは、底部１００ａに始端を有するとともに、該始端よりもキャップ本体１０の先端側にあるキャップ本体１０の外周面上に終端を有する。第二傾斜面１０２ａの始端から終端までの最短距離は、第一傾斜面１０１ａの始端から終端までの最短距離よりも短い。
【００６４】
シール部材１１は、キャップ本体１０内に装着されている。シール部材１１は、例えば、ゴム等の弾性材料によって形成されている。また、シール部材１１は、注射器本体２２の頭部に嵌着可能なように形成されている。シール部材１１は、シリンジキャップ１が注射器本体２２に取り付けられた状態で、注射器本体２２の頭部をシールする。シール部材１１は、注射針２１を挿入可能なように形成されている。
【００６５】
本実施形態のシリンジキャップ１は、例えば、射出成形によって加工される。また、本実施形態のシリンジキャップ１は、例えば、樹脂成形品やゴム成形品である。樹脂としては、ポリプロピレン、ポリエチレン等の樹脂が挙げられる。
【００６６】
本実施形態に係るシリンジキャップ１によれば、基端から先端に向けて注射針２１が挿入される筒状のキャップ本体１０と、前記キャップ本体１０の外周面から突出した少なくとも一つの第一凸部１０Ａ，第二凸部１０Ｂ，第三凸部１０Ｃであって、前記キャップ本体１０の周方向に延びる第一凸部１０Ａ，第二凸部１０Ｂ，第三凸部１０Ｃと、を有し、前記第一凸部１０Ａ，第二凸部１０Ｂ，第三凸部１０Ｃは、前記キャップ本体１０の外周面よりも該キャップ本体１０の径方向外方に位置する頂部１００Ａ，１００Ｂ，１００Ｃと、前記頂部１００Ａ，１００Ｂ，１００Ｃに始端を有するとともに、該始端よりも前記キャップ本体１０の基端側にある前記キャップ本体１０の外周面上に終端を有する第一傾斜面１０１Ａ，１０１Ｂ，１０１Ｃと、前記頂部１００Ａ，１００Ｂ，１００Ｃに始端を有するとともに、該始端よりも前記キャップ本体１０の先端側にあるキャップ本体１０の外周面上に終端を有する第二傾斜面１０２Ａ，１０２Ｂ，１０２Ｃと、を有し、前記第一傾斜面１０１Ａ，１０１Ｂ，１０１Ｃの始端から終端までの最短距離は、前記第二傾斜面１０２Ａ，１０２Ｂ，１０２Ｃの始端から終端までの最短距離よりも短い。
【００６７】
上記構成のシリンジキャップ１によれば、第一凸部１０Ａ，第二凸部１０Ｂ，第三凸部１０Ｃの第一傾斜面１０１Ａ，１０１Ｂ，１０１Ｃは、キャップ本体１０の外周面に対して起立している。そのため、キャップ本体１０が注射器本体２２から離れる方向に引っ張られると、使用者の手が第一凸部１０Ａ，第二凸部１０Ｂ，第三凸部１０Ｃの第一傾斜面１０１Ａ，１０１Ｂ，１０１Ｃに当接し引っ掛かる。これにより、注射器本体２２から取り外すときの滑りが抑制される。その結果、キャップ本体１０に対する引っ張り力がシリンジキャップ１全体に伝わるため、シリンジキャップ１は取り外されやすくなる。特に、容量が０．５ｍＬ〜５．０ｍＬ、好ましくは１ｍＬの小さいシリンジの場合、この効果が顕著となる。
【００６８】
本実施形態に係るシリンジキャップ１によれば、キャップ本体１０は、外径が基端側から先端側に向かって連続的に小さくなるテーパ部を有し、第一凸部１０Ａがテーパ部に配置されている。かかる構成によれば、キャップ本体１０の先端側の方が細くなっているため、使用者の手にアプローチしやすくなる。
【００６９】
本実施形態に係るシリンジキャップ１によれば、第一凸部１０Ａのキャップ本体１０の軸芯に対する第一傾斜面１０１Ａの傾斜角度は、第一凸１０Ａのキャップ本体１０の軸芯に対する第二傾斜面１０２Ａの傾斜角度と同じである。かかる構成によれば、第一凸部１０Ａの第一傾斜面１０１Ａと第二傾斜面１０２Ａとが使用者の手に均等に当たりやすくなるため、使用者の手に与える違和感が抑制される。
【００７０】
本実施形態に係るシリンジキャップ１によれば、第一凸部１０Ａ，第二凸部１０Ｂ，第三凸部１０Ｃは、キャップ本体１０の全周に亘って設けられている。かかる構成によれば、キャップ本体１０の周方向における何れの箇所が摘まれても、使用者の手が第一凸部１０Ａ，第二凸部１０Ｂ，第三凸部１０Ｃに確実に引っ掛かり、注射器本体２２から取り外すときの滑りが抑制される。
【００７１】
本実施形態に係るシリンジキャップ１によれば、凸部１０Ａ，１０Ｂ，１０Ｃを複数有する。かかる構成によれば、使用者の手が引っ掛かる部分が増え、注射器本体２２から取り外すときの滑りがより抑制される。
【００７２】
本実施形態に係るシリンジキャップ１によれば、複数の第一凸部１０Ａは、キャップ本体１０の外周面のうち、該キャップ本体１０の軸芯の延びる方向の少なくとも中央領域に配置されている。かかる構成によれば、一般的に使用者が摘む可能性の高いキャップ本体１０の中央領域において注射器本体２２から取り外すときの滑りが抑制される。
【００７３】
本実施形態に係るシリンジキャップ１によれば、複数の凸部１０Ａ，１０Ｂ，１０Ｃのうち、第二凸部１０Ｂ，第三凸部１０Ｃの高さは、他の第一凸部１０Ａの高さより高い。かかる構成によれば、高さの高い第二凸部１０Ｂ，第三凸部１０Ｃに使用者の手が引っ掛かりやすいので、他の第一凸部１０Ａで使用者の手が引っ掛からなかったとしても、高さの高い第二凸部１０Ｂ，第三凸部１０Ｃで使用者の手が引っ掛かり、シリンジキャップ１が取り外されやすくなる。
【００７４】
本実施形態に係るシリンジキャップ１によれば、キャップ本体１０の中央領域に配置された複数の第一凸部１０Ａの高さは、全て同じである。かかる構成によれば、使用者の手が複数の第一凸部１０Ａのそれぞれに均一に当接するため、使用者の手に与える違和感が抑制される。
【００７５】
本実施形態に係るシリンジキャップ１によれば、複数の凸部１０Ａ，１０Ｂ，１０Ｃは、先端側の領域及び基端側の領域のそれぞれに配置された第二凸部１０Ｂ，第三凸部１０Ｃであって、中央領域に配置された複数の第一凸部１０Ａよりも高さの高い第二凸部１０Ｂ，第三凸部１０Ｃを含む。かかる構成によれば、高さの高い第二凸部１０Ｂ，第三凸部１０Ｃに使用者の手が引っ掛かりやすいので、先端側の領域及び基端側の領域において中央領域よりも滑りが抑制される。
【００７６】
本実施形態に係るシリンジキャップ１によれば、先端側の領域に配置された第二凸部１０Ｂの高さは、基端側の領域に配置された第三凸部１０Ｃの高さより高い。かかる構成によれば、高さの高い第二凸部１０Ｂに使用者の手が引っ掛かりやすいので、基端側の領域の第三凸部１０Ｃに使用者の手が引っ掛からなかったとしても、先端側の領域に配置された高さの高い第二凸部１０Ｂに使用者の手が引っ掛かり、シリンジキャップ１が取り外されやすくなる。また、高さの高い第二凸部１０Ｂが配置された先端側の領域で使用者の手が引っ掛かった場合、使用者の手と注射器本体２２との距離が、使用者の手がキャップ本体１０の中央領域や基端側の領域で引っ掛かった場合よりも長くなるため、シリンジキャップ１が取り外されたときに、注射針２１が使用者の手に触れたり刺さったりする可能性が減る。
【００７７】
本実施形態に係るシリンジキャップ１によれば、複数の凸部１０Ａ，１０Ｂ，１０Ｃのうち、先端側の領域に配置された第二凸部１０Ｂの高さが最も高い。かかる構成によれば、高さが最も高い第二凸部１０Ｂに使用者の手が最も引っ掛かりやすいので、他の第一凸部１０Ａ，第三凸部１０Ｃで使用者の手が引っ掛からなかったとしても、高さが最も高い第二凸部１０Ｂで使用者の手が引っ掛かり、シリンジキャップ１が取り外されやすくなる。また、高さが最も高い第二凸部１０Ｂが配置された先端側の領域で使用者の手が引っ掛かった場合、使用者の手と注射器本体２１との距離が、使用者の手がキャップ本体１０の中央領域や基端側の領域で引っ掛かった場合よりも長くなるため、シリンジキャップ１が取り外されたときに、注射針２１が使用者の手に触れたり刺さったりする可能性が減る。
【００７８】
なお、本発明のシリンジキャップは、上記実施形態に限定されるものではなく、本発明の要旨を逸脱しない範囲内において種々変更を加え得ることは勿論である。
【００７９】
上記実施形態において、キャップ本体１０は両端が開口した円筒状である場合について説明したが、これに限定されない。キャップ本体１０の先端側は閉塞されていてもよい。
【００８０】
上記実施形態において、キャップ本体１０の先端側の領域に配置された第二凸部１０Ｂ及び基端側の領域に配置された第三凸部１０Ｃの位置、高さｈ２，ｈ３は、図７〜図９に示すように、適宜変更可能である。
【００８１】
上記実施形態において、先端側の領域及び基端側の領域のそれぞれに、中央領域に配置された第一凸部１０Ａよりも高い第二凸部１０Ｂ及び第三凸部１０Ｃが設けられたが、これに限定されない。先端側の領域及び基端側の領域のいずれか一方の領域に、中央領域に配置された第一凸部１０Ａよりも高さの高い凸部が設けられていてもよい。例えば、図１０に示すように、中央領域に配置された複数の第一凸部１０Ａと、先端側の領域に配置された第二凸部１０Ｂとを有するシリンジキャップであってもよい。
【００８２】
上記実施形態において、先端側の領域及び基端側の領域のそれぞれに一つの第二凸部１０Ｂ及び第三凸部１０Ｃが設けられたが、これに限定されない。例えば、先端側の領域の第二凸部１０Ｂ及び基端側の領域の第三凸部１０Ｃは二つ以上であってもよい。
【００８３】
上記実施形態において、キャップ本体１０の一部がテーパ部とされたが、これに限定されない。例えば、キャップ本体１０全体がテーパ部であってもよいし、キャップ本体１０はテーパ部を有していなくてもよい。
【００８４】
上記実施形態において、中央領域に配置された複数の第一凸部１０Ａのキャップ本体１０の軸芯に対する第一傾斜面１０１Ａの傾斜角度は、キャップ本体１０の軸芯に対する第二傾斜面１０２Ａの傾斜角度と同じであるようにしたが、これに限定されない。第一傾斜面１０１Ａの始端から終端までの最短距離が、第二傾斜面１０２Ａの始端から終端までの最短距離よりも短くなるように形成されていれば、傾斜角度は適宜変更可能である。
【００８５】
上記実施形態において、先端側の領域に配置された第二凸部１０Ｂの高さｈ２が、基端側の領域に配置された第三凸部１０Ｃの高さｈ３よりも高い場合について説明したが、これに限定されない。先端側の第二凸部１０Ｂの高さｈ２は、基端側の第三凸部１０
Ｃの高さｈ３と同じであってもよいし低くてもよい。
【００８６】
上記実施形態において、キャップ本体１０の中央領域に配置された複数の第一凸部１０Ａの高さｈ１が全て同じであるようにしたが、これに限定されない。例えば、中央領域に配置される複数の第一凸部１０Ａの高さが互いに異なっていてもよい。
【００８７】
上記実施形態において、複数の凸部１０Ａ，１０Ｂ，１０Ｃが設けられたシリンジキャップについて説明したが、これに限定されず、凸部の数は一つであってもよい。例えば、図１１に示すように、先端領域に第二凸部１０Ｂが一つ設けられたシリンジキャップ１であってもよい。なお、図１１において、第二凸部１０Ｂはキャップ本体１０の先端側に配置されているが、第二凸部１０Ｂの位置は中央領域や基端側の領域であってもよい。また、第二凸部１０Ｂの高さについても適宜変更可能である。
【００８８】
上記実施形態において、同じ高さの複数の第一凸部１０Ａがキャップ本体１０の中央領域にのみ設けられたが、これに限定されず、同じ高さの複数の第一凸部１０Ａは、先端側の領域、中央領域、及び基端側の領域の任意の領域に設けることができる。
【００８９】
例えば、図１２〜図１７に示すように、先端側の領域及び中央領域に同じ高さの複数の第一凸部１０Ａが配置されたシリンジキャップ１であってもよい。図１２、図１５及び図１６に示すシリンジキャップ１では、先端側の領域及び中央領域に配置された複数の第一凸部１０Ａよりも高さの高い第三凸部１０Ｃが基端側の領域に配置されている。図１３及び図１４に示すシリンジキャップ１では、基端側の領域に凹部１０ａが配置されている。
【００９０】
また、図１８に示すように、同じ高さの複数の第一凸部１０Ａが、先端側の領域から基端側の領域に亘って設けられたシリンジキャップ１であってもよい。
【００９１】
上記実施形態において、第一凸部１０Ａ，第二凸部１０Ｂ，第三凸部１０Ｃはキャップ本体１０の全周に亘って設けられたが、これに限定されない。第一凸部１０Ａ，第二凸部１０Ｂ，第三凸部１０Ｃは、キャップ本体１０の周方向に延びるように形成されていればよい。例えば、図１９に示すように、所定の長さの複数の第一凸部１０Ａがキャップ本体１の先端領域及び中央領域に配置されたシリンジキャップ１であってもよい。
【００９２】
上記実施形態において、キャップ本体１０の外周面に凹部１０ａが設けられたが、これに限定されず、凹部１０ａは設けられていなくてもよい。また、凹部１０ａの位置、深さ等は適宜変更可能である。
【００９３】
上記実施形態において、凹部１０ａはキャップ本体１０の全周に亘って設けられたが、これに限定されず、任意の長さの凹部１０ａがキャップ本体１０の周方向に延びるように形成されていてもよい。
【００９４】
上記実施形態において、シール部材１１が設けられたが、これに限定されず、シール部材１１は設けられていなくてもよい。
【００９５】
上記実施形態において、シリンジキャップ１を備えた注射器（針付シリンジ）として、注射器本体２２に予め薬剤が充填されたプレフィルドシリンジ２が採用されたが、これに限定されず、注射器本体２２に後から薬剤が充填される針付シリンジでもよい。また、シリンジキャップ１は、別途用意した針付シリンジに取り付けるようにしてもよい。上記実施形態のシリンジキャップ１が取り付けられる針付シリンジとしては、シリンジキャップ１が着脱可能な注射器本体であって、内部に薬剤が充填可能な注射器本体と、前記注射器本体の先端に取り付けられた注射針とを備えた注射器であれば全て適用可能である。
【００９６】
上記実施形態のシリンジキャップ１を備えたプレフィルドシリンジ２は、プレフィルドシリンジ製剤に適用可能である。プレフィルドシリンジ製剤としては、患者自身が薬剤を自己投与するための自己注射用製剤等が挙げられる。
【符号の説明】
【００９７】
１…シリンジキャップ、１０…キャップ本体、１０Ａ…第一凸部、１０Ｂ…第二凸部、１０Ｃ…第三凸部、１００Ａ，１００Ｂ，１００Ｃ…凸部の頂部、１０１Ａ，１０１Ｂ，１０１Ｃ…凸部の第一傾斜面、１０２Ａ，１０２Ｂ，１０２Ｃ…凸部の第二傾斜面、１０ａ…凹部、１００ａ…凹部の底部、１０１ａ…凹部の第一傾斜面、１０２ａ…凹部の第二傾斜面、１１…シール部材、２…注射器、２１…注射針、２２…注射器本体
【図１】
2015186792.tif 000003
【図２】
2015186792.tif 000004
【図３】
2015186792.tif 000005
【図４】
2015186792.tif 000006
【図５】
2015186792.tif 000007
【図６】
2015186792.tif 000008
【図７】
2015186792.tif 000009
【図８】
2015186792.tif 000010
【図９】
2015186792.tif 000011
【図１０】
2015186792.tif 000012
【図１１】
2015186792.tif 000013
【図１２】
2015186792.tif 000014
【図１３】
2015186792.tif 000015
【図１４】
2015186792.tif 000016
【図１５】
2015186792.tif 000017
【図１６】
2015186792.tif 000018
【図１７】
2015186792.tif 000019
【図１８】
2015186792.tif 000020
【図１９】
2015186792.tif 000021
【国際調査報告】
2015186792.tif 000022
2015186792.tif 000023
2015186792.tif 000024
2015186792.tif 000025